(57)【要約】      （修正有）【課題】映像配信データの利用者に、映像視聴の邪魔にならないで、且つインパクトある広告を提供する。【解決手段】録画映像配信者は放送済み映像データ等をテレビ局等より入手する。入手した映像データの一覧表を広告依頼者に提示、広告の埋め込みを希望する番組等を選定してもらう。選定した番組映像に、視聴するのに邪魔にならない程度の小サイズの広告をデータ利用者が興味を持つよう工夫して埋め込み、配信録画映像データを生成する。該小サイズ広告には、詳しい本格広告のホームページにリンクを貼っておく。番組映像の一覧表やコンテンツ等は、映像配信者のホームページ上に、常時、新リストを記載しておき、データ利用者が視聴したいと思う番組映像を該ホームページで検索し、クリックやメール等の入力で希望すれば、小サイズ広告を埋め込み生成された前記配信録画番組映像データはデータ利用者にネット配信される。【選択図】  図１
2006295863.tif 000002
【特許請求の範囲】
【請求項１】
広告依頼者が録画映像配信者（以下配信者と略す）に広告を依頼する段階と、該配信者がテレビジョン（以下テレビと略す）放送や映画やゲーム等の録画映像に、録画映像配信データ利用者（パーソナルコンピュータのみならず携帯機器や車機器等による録画映像視聴利用者も含み、以下同様で、尚、利用者と略す）の該録画映像の視聴に邪魔にならない程度の小サイズである広告（バナー、或はムービーやアニメーションやイラストや写真を組み合わせてキャッチコピー等の文字と重ねたものと場合により音声も入れたもの、或はムービーやアニメーションやイラストや写真や文字等の単独だけのものと場合により音声も入れたもの、そして状況により飛出す立体映像３Ｄの表現方法を行使したもの、以下同様で、尚、以下小サイズ広告と記す）の情報を埋め込んだ配信データをあらかじめ生成する段階と、該利用者が該配信者から該生成済み映像配信データをコンピュータネットワークを介して受信する段階と、該配信者が前記広告依頼者には広告料金を請求し、放送局等録画映像データの購入或はレンタル先へは該録画映像データの購入或はレンタル料金を支払う段階とを具備することを特徴とする小サイズ広告を埋め込んだ録画映像のネットワーク型配信による広告システムと広告方法。
【請求項２】
前記配信者は前記利用者から、視聴希望の録画映像を視聴希望時にクリック等（マウス・キーボード・リモコン・他を使った）の配信希望の受信により、即、該視聴希望者に配信し、該配信された録画映像に埋め込まれた前記小サイズ広告も視聴させる段階を具備することを特徴とする請求項１に記載の小サイズ広告を埋め込んだ録画映像のネットワーク型配信による広告システムと広告方法。
【請求項３】
前記小サイズ広告の情報データ（飛出す立体映像３Ｄの表現を含む）を制作する段階では、前記配信者はあらかじめテレビ局等より放送済み録画映像等（映画・ゲーム・他）のデータを購入あるいはレンタルし、前記広告依頼者に対して、録画映像データを入手毎に、常時、記入修正し録画映像のリスト一覧表を、広告依頼者に提示して、広告の埋め込みを希望する番組を選定しておいてもらい、広告情報の入力を促し広告情報の提供を受ける段階を具備し、前記配信データを生成する段階では、映像視聴するに邪魔にならない程度の小サイズ広告の情報を埋め込んだ配信データをあらかじめ生成する段階を具備し、前記広告依頼者に対しては、選定したテレビ番組等の人気度、或は広告情報の量や内容、或は貼付けてある時間、或は回数、或はリンクしたホームページの内容や量に応じた広告料金を請求する段階と、前記放送局等に対しては映像データ購入やレンタル料金を支払う段階とを具備することを特徴とする請求項１から２までのいずれか１項に記載の小サイズ広告を埋め込んだ録画映像のネットワーク型配信による広告システムと広告方法。
【請求項４】
前記広告情報を供給する段階では、前記利用者が映像視聴の邪魔にならない程度の小サイズ広告の情報を供給する段階を具備することを特徴とする請求項１から３までのいずれか１項に記載の小サイズ広告を埋め込んだ録画映像のネットワーク型配信による広告システムと広告方法。
【請求項５】
前記広告情報を供給する段階では、前記配信者は前記広告依頼者に対して、録画映像データ（放送済みテレビジョン番組・映画・ゲーム・他）を入手毎に常時入力修正し、該録画映像の一覧表を該広告依頼者に提示して、広告情報を埋め込むための映像番組等の選択を促す段階を具備する事と、広告情報を埋め込む事を希望する映像を選定させ、広告情報を該配信者に通知させる事を特徴とする請求頂１から４までのいずれか１項に記載の小サイズ広告を埋め込んだ録画映像のネットワーク型配信による広告システムと広告方法。
【請求項６】
前記小サイズ広告の情報を埋め込む配信データを生成する段階では、テレビ局等から購入したアナログ或はデジタル映像のデータに含まれる既コマーシャル映像や不要なものを削除する段階を具備する事を特徴とする請求項１から５までのいずれか１項に記載の小サイズ広告を埋め込んだ録画映像のネットワーク型配信による広告システムと広告方法。
【請求項７】
前記配信者は広告を埋め込み生成した配信録画映像の一覧表やコンテンツ等を該配信者自身のホームページ上に常時入力修正しておき、前記利用者が視聴したいと思う映像を該配信者のホームページで検索し、視聴したいと思った時に、クリックやメール等の入力で希望すれば、即、小サイズ広告の埋め込まれた前記録画映像が該データ利用希望者に配信され、該映像に埋め込まれた小サイズ広告には、それぞれに詳しい説明のあるホームページにリンクしてあるので、該小サイズ広告に興味を持った該利用者は、ゆっくりと該ホームページを視聴でき、メールでの質問やネットでの商品購入も可能とする段階を具備することを特徴とする請求項１から６までのいずれか１項に記載の小サイズ広告を埋め込んだ録画映像のネットワーク型配信による広告システムと広告方法。
【発明の詳細な説明】
【技術分野】
【０００１】  本発明は、広告依頼者にとって、安価に広告ができ、従来のテレビコマーシャルより長時間に亘って見込み顧客に広告でき、ゆっくり丁寧な説明もでき、そんな反響大の効果大のパワー大の広告システムと広告方法に関する。
【背景技術】
【０００２】  近年、電子メールやＷＷＷシステムによる録画映像配信サービスが増えている。テレビ番組等の再配信も今後ますます活発化するであろうが、利用者が該映像視聴時に視聴に邪魔にならなくて、尚、オヤッと興味を持つような、そして、反響が大きくて効果が大きくてパワーがある、そして広告依頼者にとっては安価である、そのような広告システムや広告方法は未だない。
【発明の開示】
【発明が解決しようとする課題】
【０００３】  テレビ放送等の放送済みの録画映像配信データの利用者に該放送済み録画映像に広告を埋め込んで該広告も視聴させたいが、広告は視聴の邪魔になり嫌われるであろう。【０００４】  視聴の邪魔にならないように、小サイズ広告にしたいが、インパクトに弱く視聴者の目につき難くパワー不足である。【０００５】  小サイズ広告でも、利用者がオヤッと興味を持つような工夫をし、もっと詳しい広告情報を得たいと望ませたい。【０００６】  もっと詳しい広告情報を得たいと望んだ前記利用者には、詳しい広告情報や現在のテレビコマーシャル風表現の頁を載せた広告依頼者のホームページを視聴させたい。【０００７】  安価に広告ができ、従来のテレビコマーシャルより長時間に亘って見込み顧客に広告でき、ゆっくり丁寧な説明もできたら、広告依頼者にとっては喜ばしい事となる。
【課題を解決するための手段】
【０００８】  前記課題を解決するための本発明は、前記配信者が放送済みテレビ映像や公開済み映画やゲーム等のデータを、テレビ局やその他よりあらかじめ購入、或はレンタルしておく。【０００９】  前記配信者は入手した前記録画映像の一覧表やコンテンツを、映像入手の度に常時作成修正し、広告依頼者に該一覧表を提示して、広告の埋め込みを希望する番組等や映画等やゲーム等を選定してもらい、そのデータの品番や名前の指示を受ける。【００１０】  前記配信者は、前記広告依頼者に選定してもらった録画映像に、前記利用者が該録画映像を視聴するのに邪魔にならない程度の小サイズ広告の情報を該選定録画映像の下部か或は状況により上部や左右に埋め込み、配信のための録画映像データを生成する。【００１１】  前記利用者が前記配信録画映像を視聴する時に、前記配信者は該利用者に前記小サイズ広告に興味を持たせるよう工夫をする。興味を持たせる工夫の一つとして、該小サイズ広告に飛出す立体映像（３Ｄ）を状況により貼付ける。ここぞという時に立体映像（３Ｄ）が飛出すようにするので、小サイズでもかなりのインパクトがある。【００１２】  前記飛出す立体映像（３Ｄ）を貼付けた小サイズ広告には、もっと詳しい説明やのある本格広告のホームページにリンクしておく。該ホームページには現在のテレビコマーシャル風表現の頁もあり、又、飛出す立体映像（３Ｄ）の表現方法も状況により使う。【００１３】  小サイズ広告を埋め込み生成した配信の録画映像の一覧表やコンテンツ等を前記配信者は自身のホームページ上に、常時、記載修正しておく。前記利用者が視聴したいと思う録画映像を該配信者のホームページで検索し、見い出し、視聴したいと思った時に、クリックやメール等の入力で希望すれば、小サイズ広告を埋め込み生成した前記配信録画映像データは該利用者に、即、配信される。【００１４】  該小サイズ広告には、それぞれに詳しい説明の本格広告のホームページへリンクしてあるので、該小サイズ広告に興味を持った人は、該本格広告のホームページをゆっくりと視聴し、メールでの質問やネットでの商品購入も可能である。
【図面の簡単な説明】
【００１５】
【図１】本発明の実施例に関わる広告システムと広告方法の全体の流れと録画映像配信者の内部の映像配信サーバーの構成。
【図２】本発明の実施例における、広告情報の形態の実例として小サイズ広告（バナー・動画・イラスト・写真・文字・飛出す映像３Ｄ等を含む）の広告システムと広告方法に関する実例図。
【図３】本発明の実施例における、広告情報の形態の実例として小サイズ広告とホームページ本格広告（飛出す映像３Ｄを含む）の広告システムと広告方法に関する実例図。
【図４】広告依頼者が小サイズ広告を埋込むための番組等を検索し選定するための映像配信者ホームページ上の録画番組や録画映像の一覧表の図。
【図５】利用者が視聴したい配信の録画番組や録画映像等を検索するための映像配信者ホームページ上の番組等の検索頁の図。
【符号の説明】
【００１６】１……録画映像を購入。
２……購入代金の支払い。
３……購入した録画映像の番組コンテンツ等を広告依頼者に提示し広告を埋め込む番組等を選んでもらう。
４……選んだコンテンツの指定と広告情報を提供。
５……選んでもらった映像に提供された広告を埋め込む、配信者自信のホームページに番組のコンテンツ等を記載する等の映像配信者の内部構造。
６……視聴したい時に視聴したい映像を映像配信者のホームページの番組のコンテンツ等から選び希望のクリックをする。
７……クリックと同時に配信されるので即、視聴できる。
８……広告料金支払い。
【図１】
2006295863.tif 000003
【図２】
2006295863.tif 000004
【図３】
2006295863.tif 000005
【図４】
2006295863.tif 000006
【図５】
2006295863.tif 000007